【手続補正書】
【提出日】平成26年12月4日(2014.12.4)
【手続補正１】
【補正対象書類名】明細書
【補正対象項目名】００９２
【補正方法】変更
【補正の内容】
【００９２】
この開示は、趣旨及び範囲から逸脱することなく様々な修正及び変更が可能である。したがって、本開示は、上記の実施形態に限定されないが、以下の請求項及び全てのその等価物に詳述する制限によって規制される。本開示は、本明細書に具体的に開示されていないいずれか要素を欠いても適宜実施され得る。上記に引用した全ての特許及び特許出願は、参照によりその全体が本明細書に組み込まれる。
最後に、本発明の好ましい形態の少なくとも一部を付記すると、下記の通りである。
（付記１）
上縁と反対側の下縁との間の第１の距離（ｄ１）を有する主部と、
前記主部から延在するユーザーの端部であって、上縁、反対側の下縁、及び前記上縁と前記反対側の下縁とを接続する側縁を有し、前記ユーザーの端部の前記上縁と前記反対側の下縁との間の第２の距離（ｄ２）は、前記第１の距離（ｄ１）より小さい、ユーザーの端部と、を備える、基材と、
前記基材の前記ユーザーの端部の前記側縁と境界を共有する側縁を有する主たる機械的締結パッチであって、上縁と反対側の下縁との間の第３の距離（ｄ３）を有し、前記第３の距離（ｄ３）は、前記第２の距離（ｄ２）より小さい、主たる機械的締結パッチと、
前記基材の前記主部上の第１及び第２の補助機械的締結パッチであって、前記第１の補助締結パッチは、前記基材の前記主部の前記上縁と境界を共有し、前記第２の補助締結パッチは、前記基材の前記主部の前記反対側の下縁と境界を共有し、前記第１及び第２の補助機械的締結パッチのそれぞれは、上縁と反対側の下縁との間の、前記第３の距離（ｄ３）より小さい高さ（ｄ４ａ及びｄ４ｂ）を有する、第１及び第２の補助機械的締結パッチと、を備える、締結タブ。
（付記２）
前記第１の補助機械的締結パッチの前記高さ（ｄ４ａ）と前記第２の補助機械的締結パッチの前記高さ（ｄ４ｂ）の合計が、前記第３の距離（ｄ３）と等しい、付記１に記載の締結タブ。
（付記３）
前記主たる機械的締結パッチが、前記基材の前記主部内に延びている、付記１に記載の締結タブ。
（付記４）
前記主部が、少なくとも一方向に延伸可能である区域を有する、付記１に記載の締結タブ。
（付記５）
縦方向に延在する基材ウェブを提供する工程と、
機械的締結具の多数の別個のパッチが前記縦方向に分離されるように、前記機械的締結具の多数の別個のパッチを前記基材ウェブに取り付ける工程と、
それぞれのサブウェブが前記機械的締結具の多数のパッチの第１及び第２の切断部分を有する２つのサブウェブを提供するために、連続の蛇行切断によって前記基材ウェブ及び前記機械的締結具の多数のパッチを前記縦方向に切断する工程と、
複数の前記締結タブを提供するためにそれぞれのサブウェブを貫通するウェブ横断方向切断を提供する工程であって、この工程で、前記機械的締結具の多数のパッチの前記第２の切断部分を切断することを含む、工程と、を含む方法によって調製可能な、付記１に記載の締結タブ。
（付記６）
前記機械的締結具の多数の別個のパッチが前記基材ウェブの中心に置かれ、前記連続の蛇行切断が波状パターンを有し、かつ前記基材ウェブの中心に置かれるか、又は、前記機械的締結具の多数の別個のパッチが、前記基材ウェブの中心部分に前記ウェブ横断方向に互い違いに置かれる、付記５に記載の締結タブ。
（付記７）
前側腰領域、後側腰領域、及び前記前側腰領域と前記後側腰領域とを二分する長手方向の中心線を少なくとも有する吸収性物品であって、前記前側腰領域又は前記後側腰領域の少なくとも一方が、付記１〜６のいずれか一項に記載の締結タブを備える、吸収性物品。
（付記８）
縦方向に延在し、ウェブ横断方向並びに左及び右の長手方向の縁を有する基材ウェブと、
前記縦方向に分離され、かつ前記基材ウェブに取り付けられた、機械的締結具の多数の別個のパッチと、
前記機械的締結具の多数の別個のパッチのそれぞれから第１及び第２の切断部分を形成するために、前記機械的締結具の多数の別個のパッチのそれぞれを貫通して前記縦方向に延在する蛇行脆弱線と、を備える、ウェブ。
（付記９）
交互に前記左及び右の長手方向縁から前記蛇行脆弱線まで延びる多数の互い違いの脆弱線を更に備え、前記多数の互い違いの脆弱線が、前記機械的締結具の連続した多数の別個のパッチの前記第２の切断部分を貫通して延在する、付記８に記載のウェブ。
（付記１０）
前記機械的締結具の多数の別個のパッチが、前記基材ウェブの中心に置かれ、前記蛇行脆弱線が、前記基材ウェブの中心に置かれる、付記８に記載のウェブ。
（付記１１）
前記機械的締結具の多数の別個のパッチが、前記基材ウェブの中心部分に前記ウェブ横断方向に互い違いに置かれる、付記８に記載のウェブ。
（付記１２）
締結タブの作製方法であって、
縦方向に延在する基材ウェブを提供する工程と、
機械的締結具の多数の別個のパッチが前記縦方向で分離されるように、前記基材ウェブに前記機械的締結具の多数の別個のパッチを取り付ける工程と、
それぞれのサブウェブが前記機械的締結具の多数のパッチの第１及び第２の切断部分を有する２つのサブウェブを提供するために、連続の蛇行切断によって前記基材ウェブ及び前記機械的締結具の多数のパッチを前記縦方向に切断する工程と、を含む、方法。
（付記１３）
前記ウェブが、前記機械方向に延在する少なくとも２つの延伸性区域を有し、前記延伸性区域が、前記縦方向に対してゼロ度ではない角度で少なくとも一方向に延伸可能である、付記８に記載のウェブ又は付記１２に記載の方法。
（付記１４）
複数の締結タブを提供するために、それぞれのサブウェブを貫通するウェブ横断方向切断を提供する工程を更に含み、前記ウェブ横断方向切断が前記機械的締結具の多数のパッチの前記第２の切断部分を切断し、前記複数の締結タブのそれぞれが、機械的締結具の１つのパッチからの第１の切断部分と、機械的締結具のそれぞれの隣接したパッチからの第２の切断部分の一部とを含む、付記１２に記載の方法。
（付記１５）
それぞれの締結タブのユーザーの端部の形状を画定する前記連続の蛇行切断が、前記基材上の中心にある波状パターンを有し、前記機械的締結具の多数の別個のパッチが前記基材ウェブ上の中心に一列に提供される、付記１２に記載の方法。
【手続補正２】
【補正対象書類名】特許請求の範囲
【補正対象項目名】全文
【補正方法】変更
【補正の内容】
【特許請求の範囲】
【請求項１】
上縁と反対側の下縁との間の第１の距離（ｄ１）を有する主部と、
前記主部から延在するユーザーの端部であって、上縁、反対側の下縁、及び前記上縁と前記反対側の下縁とを接続する側縁を有し、前記ユーザーの端部の前記上縁と前記反対側の下縁との間の第２の距離（ｄ２）は、前記第１の距離（ｄ１）より小さい、ユーザーの端部と、を備える、基材と、
前記基材の前記ユーザーの端部の前記側縁と境界を共有する側縁を有する主たる機械的締結パッチであって、上縁と反対側の下縁との間の第３の距離（ｄ３）を有し、前記第３の距離（ｄ３）は、前記第２の距離（ｄ２）より小さい、主たる機械的締結パッチと、
前記基材の前記主部上の第１及び第２の補助機械的締結パッチであって、前記第１の補助締結パッチは、前記基材の前記主部の前記上縁と境界を共有し、前記第２の補助締結パッチは、前記基材の前記主部の前記反対側の下縁と境界を共有し、前記第１及び第２の補助機械的締結パッチのそれぞれは、上縁と反対側の下縁との間の、前記第３の距離（ｄ３）より小さい高さ（ｄ４ａ及びｄ４ｂ）を有する、第１及び第２の補助機械的締結パッチと、を備える、締結タブ。
【請求項２】
前記第１の補助機械的締結パッチの前記高さ（ｄ４ａ）と前記第２の補助機械的締結パッチの前記高さ（ｄ４ｂ）の合計が、前記第３の距離（ｄ３）と等しい、請求項１に記載の締結タブ。
【請求項３】
前記主たる機械的締結パッチが、前記基材の前記主部内に延びている、請求項１又は２に記載の締結タブ。
【請求項４】
前側腰領域、後側腰領域、及び前記前側腰領域と前記後側腰領域とを二分する長手方向の中心線を少なくとも有する吸収性物品であって、前記前側腰領域又は前記後側腰領域の少なくとも一方が、請求項１〜３のいずれか一項に記載の締結タブを備える、吸収性物品。
【請求項５】
縦方向に延在し、ウェブ横断方向並びに左及び右の長手方向の縁を有する基材ウェブと、
前記縦方向に分離され、かつ前記基材ウェブに取り付けられた、機械的締結具の多数の別個のパッチと、
前記機械的締結具の多数の別個のパッチのそれぞれから第１及び第２の切断部分を形成するために、前記機械的締結具の多数の別個のパッチのそれぞれを貫通して前記縦方向に延在する蛇行脆弱線と、を備える、ウェブ。
【請求項６】
前記機械的締結具の多数の別個のパッチが、前記基材ウェブの中心に置かれ、前記蛇行脆弱線が、前記基材ウェブの中心に置かれる、請求項５に記載のウェブ。
【請求項７】
前記機械的締結具の多数の別個のパッチが、前記基材ウェブの中心部分に前記ウェブ横断方向に互い違いに置かれる、請求項５に記載のウェブ。
【請求項８】
締結タブの作製方法であって、
縦方向に延在する基材ウェブを提供する工程と、
機械的締結具の多数の別個のパッチが前記縦方向で分離されるように、前記基材ウェブに前記機械的締結具の多数の別個のパッチを取り付ける工程と、
それぞれのサブウェブが前記機械的締結具の多数のパッチの第１及び第２の切断部分を有する２つのサブウェブを提供するために、連続の蛇行切断によって前記基材ウェブ及び前記機械的締結具の多数のパッチを前記縦方向に切断する工程と、を含む、方法。